(57)【要約】【解決課題】  突入電流の発生を回避する回路の下流側で起こり得るインターロックスイッチの短時間でのオン・オフに起因する突入電流の発生を解消し、供給される電源電圧で駆動する駆動系に対して負担をかけることを回避する。【解決手段】  インターロックスイッチ１１０のオン・オフ状態をＣＰＵ１１４で認識し、分岐線１２２によって非接触で２４Ｖ電源部１１２からの電源を導通させるインターロックリレー回路１２４のスイッチ部１２４Ｂのオン・オフの時期を遅延させることで、インターロックスイッチ１１０の短時間でのオン・オフ動作に起因する突入電流の発生を回避することができ、各部の駆動系への過電流による誤動作、損傷を防止することができる。【選択図】  図３
2006058509.tif 000002
【特許請求の範囲】
【請求項１】
像担持体に表面に対して近接される帯電部材へ所定の電圧を印加することで、前記像担持体の表示を一様に帯電し、前記一様に帯電された像担持体へ画像データに応じて光ビームを照射することで静電潜像を形成した後、トナーを供給することで現像すると共に、記録媒体へトナー画像を転写し、当該転写したトナー画像を定着することで画像を形成する画像形成エンジンを有する画像形成装置であって、
前記画像形成エンジンの各部の駆動系電源電圧を立ち上げるためのインターロックスイッチと、
前記インターロックスイッチのオン・オフ状態を検出する制御回路と、
前記インターロックスイッチと直列に接続されたコイル部、及び前記コイル部への通電・非通電に基づきオン・オフされるスイッチ部とで構成され、前記前記インターロックスイッチのオン・オフにより、前記画像形成エンジンの各部に対して間接的に前記駆動系電源電圧を立ち上げるリレー回路と、
前記制御回路によるインターロックスイッチのオン状態の検出時に遅延して、前記コイル部への通電へ許可する遅延手段と、
を有する画像形成装置。
【請求項２】
前記遅延手段が、前記制御回路内に設けられ、前記インターロックスイッチのオン時にリセット・スタートするタイマと、前記リレー回路のコイル部と前記制御回路との間に設けられ、前記タイマの所定時間後のタイムアップ時に出力される信号により前記コイル部への通電を許可するスイッチングトランジスタと、で構成されていることを特徴とする請求項１記載の画像形成装置。
【発明の詳細な説明】
【技術分野】
【０００１】
この発明は、電子写真方式を適用した複写機、プリンター、ファクシミリあるいはこれらの複合機等の画像形成装置に関するものである。
【背景技術】
【０００２】
従来、この種の電子写真方式を適用した複写機、プリンター、ファクシミリあるいはこれらの複合機等の画像形成装置では、像担持体としての感光体ドラムを中心として、この感光体ドラムの周面に対向するように帯電部、光走査部、現像部、転写部等が配置されている。
【０００３】
すなわち、帯電部によって感光体ドラムの表面を一様に帯電し、光走査部からの光ビームによって静電潜像を形成し、現像部においてトナーを供給して現像し、転写部において例えば、中間転写体等へトナー像を転写した後、記録用紙へ画像を転写する。
【０００４】
上記構成の画像形成装置では、商用電源から所望の電源電圧を生成し、各部の駆動系へ送っており、このため、画像形成装置の制御系では、電源管理部に高圧電源供給部、低圧電源供給部をそれぞれ設け、例えば、低圧電源供給部では感光体ドラム等の回転駆動のための２４Ｖ電源を生成し、高圧電源供給部では、帯電するための数ＫＶの電源を生成している。
【０００５】
ここで、ＬＶＰＳでは２４Ｖ電源を画像形成用制御部からの指令により立ち上げ、立ち下げを制御している。画像形成用制御部には、インターロックスイッチが設けられており、このインターロックスイッチのオン・オフにより、２４Ｖ電源が各部の駆動系を供給、供給遮断される。
【０００６】
ところで、インターロックスイッチのオンの際、突入電流が発生することがある。この突入電流によって、各部の駆動系に過電流が流れ、誤動作を起こしたり、最悪の場合、損傷（モータの焼き付き、定着用のランプ切れ等）を起こす場合がある。
【０００７】
このため、特許文献１には、インターロックスイッチがオンされた直後は、電源供給ラインに介在させた抵抗を通過させることで、この抵抗によって電流を消費し、所定時間経過後に、この抵抗間を短絡させることが提案されている。
【０００８】
これにより、インタロックスイッチのオン時の突入電流による、各部の駆動系への不具合を解消することができる。
【特許文献１】特開平５−１１１１４９号公報
【発明の開示】
【発明が解決しようとする課題】
【０００９】
しかしながら、インターロックスイッチの突入電流を回避する回路は確立されているものの、インターロックスイッチが繰り返してオン・オフされるようなことがあると、前記特許文献１に記載されたような突入電流回避のための回路構成では対応できない。
【００１０】
すなわち、インターロックスイッチの短時間でのオン・オフがあると、突入電流が各部の駆動系や基板へ流れることがある。
【００１１】
このような突入電流による不具合は、インターロックスイッチが一旦オンになると、ＬＶＰＳを構成する回路の１つであるコンデンサ（突入電流回避のための回路の上流側に配置）に電荷が蓄積（充電）され、一旦オフされた次のインターロックスイッチのオン時にコンデンサに充電された電荷が放電されるために発生する。
【００１２】
本発明は上記事実を考慮し、突入電流の発生を回避する回路の下流側で起こり得るインターロックスイッチの短時間でのオン・オフに起因する突入電流の発生を解消し、供給される電源電圧で駆動する駆動系に対して負担をかけることを回避することができる画像形成装置を得ることが目的である。
【課題を解決するための手段】
【００１３】
本発明は、像担持体に表面に対して近接される帯電部材へ所定の電圧を印加することで、前記像担持体の表示を一様に帯電し、前記一様に帯電された像担持体へ画像データに応じて光ビームを照射することで静電潜像を形成した後、トナーを供給することで現像すると共に、記録媒体へトナー画像を転写し、当該転写したトナー画像を定着することで画像を形成する画像形成エンジンを有する画像形成装置であって、前記画像形成エンジンの各部の駆動系電源電圧を立ち上げるためのインターロックスイッチと、前記インターロックスイッチのオン・オフ状態を検出する制御回路と、前記インターロックスイッチと直列に接続されたコイル部、及び前記コイル部への通電・非通電に基づきオン・オフされるスイッチ部とで構成され、前記前記インターロックスイッチのオン・オフにより、前記画像形成エンジンの各部に対して間接的に前記駆動系電源電圧を立ち上げるリレー回路と、前記リレー回路のコイル部と、前記制御回路によるインターロックスイッチのオン状態の検出時に遅延して、前記コイル部への通電へ許可する遅延手段と、を有している。
【００１４】
本発明によれば、インターロックスイッチがオンされると、このオン・オフ状態を制御回路で検出する。
【００１５】
ここで、遅延手段は、制御回路において前記インターロックスイッチのオン状態の検出時に対して、所定時間遅延して、リレー回路のコイル部への通電を許可する。この結果、実際に電源電圧を供給するラインに設けられたリレー回路のスイッチ部がオンする時期が、インターロックスイッチのオン時よりも遅延し、この間にインターロックスイッチが短期間でオン・オフを繰り返しても、これに忠実にスイッチ部がオン・オフすることが防止できる。
【００１６】
また、上記発明において、前記遅延手段が、前記制御回路内に設けられ、前記インターロックスイッチのオン時にリセット・スタートするタイマと、前記リレー回路のコイル部と前記制御回路との間に設けられ、前記タイマの所定時間後のタイムアップ時に出力される信号により前記コイル部への通電を許可するスイッチングトランジスタと、で構成されていることを特徴としている。
【００１７】
インターロックスイッチがオンされるとタイマがリセット・スタートする。このタイマが所定時間でタイムアップすると、スイッチングトランジスタへ信号を送出する。この信号によりスイッチングトランジスタの動作（例えば、オン）により、コイル部への通電が許可され、このコイル部の通電によりスイッチ部がオンとなる。
【発明の効果】
【００１８】
以上説明した如く本発明では、突入電流の発生を回避する回路の下流側で起こり得るインターロックスイッチの短時間でのオン・オフに起因する突入電流の発生を解消し、供給される電源電圧で駆動する駆動系に対して負担をかけることを回避することができるという優れた効果を有する。
【発明を実施するための最良の形態】
【００１９】
（画像形成装置の概略構成）
図１には、本発明の実施の形態に係る画像形成装置１０の概要が示されている。画像形成装置１０には、エンジン部１２が備えられており、エンジン部１２の下部には、給紙ユニット１４が設けられている。
【００２０】
この給紙ユニット１４は、用紙が積載される用紙トレイ２２と、この用紙トレイ２２から用紙を送り出す給紙ロール２４と、で構成されており、給紙ロール２４により送り出された用紙は、搬送ロール２６、２８を経て給紙路３０を通過し、後述する転写ロール７４へ搬送される。
【００２１】
この転写ロール７４によってトナー像が用紙に転写され、定着部３２の定着ロール３２Ａで定着された後、切替爪３４の位置選択によって、排出ロール３６又は排出ロール３８により、エンジン部１２の上部に設けられた第１の排出トレイ１６又は第２の排出トレイ１８へ排出される。
【００２２】
ここで、両面印刷の場合、上記のような順序で表面の印刷が終わった後、第１の排出トレイ１６へ用紙が完全に排出される前に、排出ロール３６が逆転し、該用紙が反転路４０へ供給される。そして、搬送ロール４２、４４、４６、４８を経て再び給紙路３０に戻され、用紙の裏面側が印刷される。また、手差し印刷の場合、手差しトレイ２０へ用紙を載置することで、用紙は手差しロール４９から搬送ロール４８を経て給紙路３０へ搬送され、印刷される。
【００２３】
前記定着部３２は、ランプ（例えば、ハロゲンランプ等）の点灯によって定着ロール３２Ａが所定温度に加熱されており、前記トナー像は、この加熱された定着ロール３２Ａによる加熱及び加圧によって用紙にトナー像が定着されるようになっている。言い換えれば、定着部３２は、他の部位に比べて、極めて高温環境であるため、厳重な監視の下、温度制御が行われている。この定着部３２の温度制御については、後述する。
【００２４】
ところで、画像形成装置１０の図１の右側には、各色毎の現像剤（トナーと磁性キャリアからなる）が充填された４個の現像剤カートリッジ６４が配設されている。この現像剤カートリッジ６４は、それぞれ現像剤供給路６５によって、図１の上から順に配列された後述する現像器６０Ｙ、６０Ｍ、６０Ｋ、６０Ｃと接続されており、現像剤カートリッジ６４中の現像剤が現像器６０Ｙ、６０Ｍ、６０Ｋ、６０Ｃへ供給される。
【００２５】
現像剤カートリッジ６４の図１の左側には、露光ユニット６２が配置されており、露光ユニット６２からは、画像信号に応じた４本のレーザ光Ｌ（Ｙ）、Ｌ（Ｍ）、Ｌ（Ｋ）、Ｌ（Ｃ）が、露光ユニット６２の図１の左側に配置された感光体ユニット５０を構成する感光体ドラム５２Ｙ、５２Ｍ、５２Ｋ、５２Ｃ（以下、総称する場合は、単に「５２」とする）へ向けて発せられ、感光体ドラム５２に潜像を形成するようになっている。
【００２６】
感光体ドラム５２は、図１の上からイエロー（５２Ｙ）、マゼンダ（５２Ｍ）、ブラック（５２Ｋ）、シアン（５２Ｃ）用となっている。
【００２７】
露光ユニット６２は、 Ｙ、Ｍ、Ｃ、Ｋ各色のレーザ光Ｌ（Ｙ）、Ｌ（Ｍ）、Ｌ（Ｋ）、Ｌ（Ｃ）（以下総称する場合は、レーザ光Ｌという）を出力する光源部と、レーザ光Ｌに対して変調及び走査を行なう変調処理部と、露光面上の走査速度を補正するｆθレンズや走査方向にレンズパワーを持つ面倒れ補正用のシリンドリカルレンズ等により構成された光学系と、を含んで構成されている。
【００２８】
露光ユニット６２では、光源部から射出された各色のレーザ光Ｌが変調処理部に入射され、各色毎の画像情報に応じてそれぞれ変調されて、ポリゴンモータ６３により回転しているポリゴンミラー６７により走査（主走査）される。ポリゴンミラー６７により走査された各色のレーザ光Ｌは、ミラー群６９により各色に対応する感光体ドラム５２の配設方向に反射されて各感光体ドラム５２上に結像される。
【００２９】
感光体ユニット５０には、各感光体ドラム５２に対応して、帯電ロール５６及びリフレッシュロール５４が備えられており、それぞれ感光体ドラム５２に接触回転するように設けられている。帯電ロール５６では、感光体ドラム５２を一様に帯電させ、後述する現像器ユニット５８に備えられたマグネットロール８０から飛翔するトナーを感光体ドラム５２の表面に付着させる。一方、リフレッシュロール５４では感光体ドラム５２を放電させ、感光体ドラム５２の表面に付着した残留トナーを取り除き、感光体ドラム５２の表面にトナーが残留することで生じるゴースト等を防止する。
【００３０】
ここで、現像器ユニット５８は、それぞれの感光体ユニット５０の図１右下側に配置されており、各感光体ドラム５２（５２Ｙ、５２Ｍ、５２Ｋ、５２Ｃ）に対応して４つの現像器６０Ｙ、６０Ｍ、６０Ｋ、６０Ｃが縦方向に並べられている。
【００３１】
一方、感光体ユニット５０の図１の左側には、中間転写ユニット６６が配置されており、３つのドラム状の中間転写体６８、７０、７２が備えられている。２つの第１中間転写体６８、７０は、縦方向に上下に並べられており、上部の第１中間転写体６８が、感光体ドラム５２のうち上部に配置された２つの感光体ドラム５２Ｙ、５２Ｍに接触回転し、下部の第１中間転写体７０が、下部に配置された２つの感光体ドラム５２Ｋ、５２Ｃに接触回転するようになっている。また、第２中間転写体７２は、第１中間転写体６８、７０の双方に接触回転するようになっており、この第２中間転写体７２に、前述した転写ロール７４が接触回転する。
【００３２】
したがって、感光体ドラム５２Ｙ、５２Ｍから各トナー像が第１中間転写体６８に転写され、感光体ドラム５２Ｋ、５２Ｃから各トナー像が第１中間転写体７０にそれぞれ転写される。この第１中間転写体６８、７０に転写された各２色のトナー像が、第２中間転写体７２に転写されて４色となり、この４色のトナー像が転写ロール７４により用紙に転写されることになる。
【００３３】
これらの中間転写体６８、７０、７２の近傍には、それぞれクリーニングロール７６及びクリーニングブラシ７８が配置されており、中間転写体６８、７０、７２の表面の残留トナーが掻き落とされる。
【００３４】
（画像形成装置全体の制御系の概略構成）
図２は、エンジン部１２における画像形成のための制御系のブロック図である。
【００３５】
メイン電源管理部２００には、図示しない商用電源が接続されており、ＬＶＰＳ（低電圧電源供給部）１０４において低電圧電源（約２４Ｖ）を生成し、かつＨＶＰＳ（高電圧電源供給部）１０５において高電圧電源（数ＫＶ）を生成しており、電源供給ラインを介して各部へ必要な電圧の電源を供給する。
【００３６】
メインコントローラ２０２には、ユーザインターフェイス２０４が接続され、ユーザの操作によって画像形成等に関する指示がなされると共に、画像形成時等の情報をユーザへ報知するようになっている。
【００３７】
また、このメインコントローラ２０２には、図示しない外部ホストコンピュータとのネットワークラインが接続されており、画像データが入力されるようになっている。
【００３８】
画像データが入力されると、メインコントローラ２０２では、例えば、画像データに含まれるプリント指示情報と、イメージデータとを解析し、エンジン部１２に適合する形式（例えば、ビットマップデータ）に変換し、ＭＣＵ１００の一部を構成する画像形成処理制御部２０６へ画像データを送出する。
【００３９】
画像形成処理制御部２０６では、入力されたイメージデータに基づいて、画像寄生処理制御部２０６と共に、それぞれＭＣＵ１００を構成する光走査系コントロール部２０８、駆動系コントロール部２１０、帯電器コントロール部２１２、現像装置コントロール部２１４、定着部コントロール部２１６のそれぞれを同期制御し、画像形成を実行する。
【００４０】
画像形成処理制御部２０６には、ユニット装填状態管理部２１８が接続されており、エンジン部１２の稼動状態（例えば、処理モード中、スリープモード中、スリープモードからの立ち上げ中処理中等）を判別するようになっている。ユニット装填状態管理部２１８で判別した前記稼動状態は、メインコントローラ２０２へ送出されるようになっている。
【００４１】
また、前記メイン電源管理部２００には、電源投入監視センサ２２０が接続され、この電源投入監視センサ２２０によって電源の投入時を検出し、その電源投入時情報をユニット装填状態管理部２１８を介してメインコントローラ２０２へ送出するようになっている。
【００４２】
さらに、メインコントローラ２０２には、環境検出手段としての、温度センサ２２１、湿度センサ２２２が接続されている。この温度センサ２２１、湿度センサ２２２では、エンジン部１Ａ内の環境温度・湿度を検出する。
【００４３】
図３には、ＬＶＰＳ１０４から所定の電圧の電源（２４Ｖ）を各部の駆動系へ供給／遮断するための回路構成が示されている。すなわち、インターロックスイッチ１１０はＭＣＵ１００側に設けられており、ＬＶＰＳ１０４からは、インターロックスイッチ１１０をオンすることで、後述する２４Ｖ電源部１１２の電源が立ち上がり、各駆動系への電源供給が可能となる。
【００４４】
このインターロックスイッチ１１０は、ＣＰＵ１１４に接続されたインターロックスイッチのオン・オフを識別するための識別信号ライン１１６に設けられている。
【００４５】
この識別信号ライン１１６には、５Ｖ電源部１１８から電力が供給され、インターロックスイッチ１１０がオンのときＣＰＵ１１４には、第１のスイッチングトランジスタ１２０を介してハイレベル信号（３．３Ｖ又は５Ｖ）が供給され、インターロックスイッチ１１０がオフのときＣＰＵ１１４には、ローレベル信号（０Ｖ）が供給されるようになっている。
【００４６】
これにより、ＣＰＵ１１４では、インターロックスイッチ１１０のオン・オフ状態が認識され、前記ＬＶＰＳ１０４の２４Ｖ電源部１１２のオン・オフを制御する。
【００４７】
また、前記識別信号ライン１１６におけるインターロックスイッチ１１０と、第１のスイッチングトランジスタ１２０との間には分岐線１２２の一端が接続されている。
【００４８】
分岐線１２２は、インターロックリレー回路１２４のコイル部１２４Ａの一端接続されている。また、コイル部１２４Ａの他端は、第２のスイッチングトランジスタ１２６のコレクタに接続されている。この第２のスイッチングトランジスタ１２６のエミッタはアースされ、ベースはＣＰＵ１１４と接続されており、ＣＰＵ１１４からハイレベルの信号がベースへ出力されると、第２のスイッチングトランジスタ１２６はオン（コレクターエミッタ間の導通）となる構成である。
【００４９】
前記インターロックリレー回路１２４には、コイル部１２４Ａに対向してスイッチ部１２４Ｂが設けられており、このスイッチ部１２４Ｂの一端は、前記ＬＶＰＳ１０４の２４Ｖ電源部１１２の出力端と接続されている。この２４Ｖ電源部１１２では、予め突入電流が発生することを防止するための回路が内蔵されており、インターロックスイッチ１１０によるＣＰＵ１１４を経由した電源立ち上げ時（待機モードからの復帰時を含む）に突入電流が発生することはない。
【００５０】
また、このスイッチ部１２４Ｂの他端は、前記電源供給ラインに接続され、この電源供給ラインを介してＭＣＵ１００の各駆動系へ送出されるようになっている。
【００５１】
ここで、前記２４Ｖ電源部１１２とスイッチ部１２４Ｂとの間には、抵抗１２８とコンデンサ１３０との一端がそれぞれ並列に接続されており、それぞれの他端はアースされている。
【００５２】
コンデンサ１３０には、２４Ｖ電源部１１２がオンされたときに供給される電力により充電されるようになっており、２４Ｖ電源部１１２がオフされると、抵抗１２８によってコンデンサ１３０に充電された電荷が放電される構成となっている。
【００５３】
ここで、コイル部１２４Ａへの通電（インターロックスイッチ１１０のオン）時にこのスイッチ部１２４Ｂはオンとなり、コイル部１２４Ａへの通電が解除（インターロックスイッチ１１０のオフ）されると、このスイッチ部１２４Ｂはオフとなる。すなわち、分岐線１２２とは非接触で、ＭＣＵ１００へのＬＶＰＳ１０４からの電源供給・供給遮断がなされることになる。
【００５４】
ところで、前記インターロックスイッチ１１０がオンになると、ＣＰＵ１１４では、前記第２のスイッチングトランジスタ１２６のベースに対してハイレベルの信号を送出するが、このとき、インターロックスイッチ１１０のオンの認識時に対して、所定時間遅延させて、前記ハイレベル信号を出力するように制御している。すなわち、ＣＰＵ１１４には、タイマ１１４Ａが内蔵されており、インターロックスイッチ１１０のオン時にリセット・スタートし、前記所定時間が経過すると、ハイレベルの信号が出力される構成となっている。
【００５５】
このため、インターロックスイッチ１１０がオンされても、すぐにはコイル部１２４Ａが通電されず、第２のスイッチングトランジスタ１２６のベースへのハイレベル信号の送出まで、スイッチ部１２４Ｂのオンが待機状態となる。
【００５６】
前記所定時間内にインターロックスイッチ１１０がオン→オフされると、結果としてコイル部１２４Ａには通電がなされず、ＬＶＰＳ１０４からの電源供給もなされない。言い換えれば、突入電流を発生させるようなインターロックスイッチ１１０のオン・オフ動作があっても、この短時間（所定時間内）のオン・オフ動作は、直接インターロックリレー回路１２４は反応せず、コイル部１２４Ａへの通電はなされないため、コンデンサ１３０が充分放電された後にスイッチ部１２４Ｂをオンさせることができ、突入電流の発生を低減させることができる。
【００５７】
以下に本実施の形態の作用を説明する。
【００５８】
（画像形成処理の流れ）
各感光体ドラム５２の周囲では、周知の電子写真方式による各色毎の画像形成（印字）プロセスが次のように行われる。
【００５９】
まず、各感光体ドラム５２は所定の回転速度（例えば９５ｍｍ／ｓｅｃ）で回転駆動される。
【００６０】
そして、感光体ドラム５２の表面は、図１に示すように、帯電ロール５６に所定の帯電レベル（例えば、約−８００Ｖ）の直流電圧を印加することによって、所定レベルに一様に帯電される。なお、本実施の形態では、帯電ロール５６に対して直流電圧のみを印加しているが、交流成分を直流成分に重畳するように構成することもできる。
【００６１】
次に、一様な表面電位とされた各感光体ドラム５２の表面に、露光ユニット６２によって各色に対応したレーザ光Ｌが照射され、各色毎の画像情報に応じた静電潜像が形成される。これにより、感光体ドラム５２のレーザ光Ｌによる露光部位の表面電位は所定レベル（例えば、−６０Ｖ以下程度）にまで除電される。
【００６２】
そして、各感光体ドラム５２の表面に形成された静電潜像は対応する各現像器ユニット５８によって現像され、各感光体ドラム５２上に各色のトナー像として可視化される。
【００６３】
次に、各感光体ドラム５２上に形成された各色のトナー像は、対応する一次中間転写ドラム６８、７０上に静電的に一次転写される。ここで、感光体ドラム５２Ｙ、５２Ｍに形成されたＹ色及びＭ色のトナー像は一次中間転写ドラム６８に、感光体ドラム５２Ｋ、５２Ｃに形成されたＫ色及びＣ色のトナー像は一次中間転写ドラム７０上に、各々転写される。
【００６４】
この後、一次中間転写ドラム６８、７０上に形成されたトナー像は、二次中間転写ドラム７２上に静電的に二次転写される。これにより、二次中間転写ドラム７２上には、単色像からＹ、Ｍ、Ｋ、Ｃの各色の四重色像までのトナー像が形成されることになる。
【００６５】
最後に、二次中間転写ドラム７２上に形成されたトナー像は、転写ロール７４によって用紙搬送路を通る用紙に三次転写される。当該用紙は、三次転写の後、用紙上に形成されたトナー像が、定着ユニット３２によって加熱定着され、画像形成プロセスが終了する。
【００６６】
上記構成が画像形成装置において、その殆どの駆動系においてＬＶＰＳ１０４からの電源供給がなされ、駆動される。すなわち、一例を挙げれば、感光体ドラム５２、一次中間転写ドラム６８、７０、二次中間転写ドラム７２等を回転するためのモータ、搬送系の各搬送ロールを駆動するためのモータ、定着部３２の定着用のランプ等はＬＶＰＳ１０４の２４Ｖ電源部１１２からの電源電圧で駆動する。
【００６７】
なお、帯電ロール５６や感光体ドラム５２等の表面を帯電するための高電圧を生成するＨＶＰＳ１０５の入力源も、このＬＶＰＳ１０４からの２４Ｖ電源部１１２とされる。
【００６８】
このようなＬＶＰＳ１０４の２４Ｖ電源部１１２は、インターロックスイッチ１１０のオン・オフに依存して立ち上げ（オン）、立ち下がり（オフ）ようになっており、インターロックスイッチ１１０のオン状態をＣＰＵ１１４で認識して、このＣＰＵ１１４で２４Ｖ電源部１１２のオン・オフを制御する。このとき、２４Ｖ電源部１１２には、オン時に発生する突入電流を回避する回路が内蔵されており、２４Ｖ電源部１１２からの出力ラインに突入電流が発生することはない。
【００６９】
ところが、前記インターロックスイッチ１１０が短い時間でオン・オフが発生すると、コンデンサ１３０が放電仕切らないために、突入電流が流れる場合がある。この場合、各部の駆動系に負担がかかり、誤動作を起こしたり、最悪の場合は損傷（モータの焼き付き、定着部３２のランプのフィラメントの破損）する場合がある。
【００７０】
そこで、本実施の形態では、インターロックスイッチ１１０のオン・オフに基づく２４Ｖ電源部１１２の立ち上げとは別に、当該２４Ｖ電源部１１２の出力端において、短時間でのオン・オフを防止するための回路を構成した。
【００７１】
すなわち、インターロックスイッチ１１０がオンされると、その信号は第１のスイッチングトランジスタ１２０を介してＣＰＵ１１４へ送出すると共に分岐線１２２によってコイル部１２４Ａへ送られる。
【００７２】
ＣＰＵ１１４では、前記２４Ｖ電源部１１２を立ち上げる信号を遅滞なく送出すると共に、所定時間遅延させて、第１のスイッチングトランジスタ１２６のベースへハイレベル信号を送出する。
【００７３】
このため、インターロックリレー回路１２４では、２４Ｖ電源部１１２が立ち上がってから、所定時間経過後にコイル部１２４Ａへ電流が流れ、スイッチ部１２４Ｂがオンすることになる。
【００７４】
スイッチ部１２４Ｂがオンすると、２４Ｖ電源部１１２からの電源電圧が電源供給ラインを介して各部の駆動系へ送出される。
【００７５】
このような動作の際、インターロックスイッチ１１０が短時間（前記所定時間よりも短時間）でオン・オフが発生しても、このオン・オフの短時間動作中は常にコイル部１２４Ａには電流が流れないため、スイッチ部がオンしない。
【００７６】
従って、２４Ｖ電源部１１２から供給される電源に突入電流が発生することが抑えられ、各部の駆動系や基板等に過電流が流れることを回避することができる。
【００７７】
以上説明したように本実施の形態では、インターロックスイッチ１１０のオン・オフ状態をＣＰＵ１１４で認識し、分岐線１２２によって非接触で２４Ｖ電源部１１２からの電源を導通させるインターロックリレー回路１２４のスイッチ部１２４Ｂのオン・オフの時期を遅延させることで、インターロックスイッチ１１０の短時間でのオン・オフ動作に起因する突入電流を回避することができ、各部の駆動系への過電流による誤動作、損傷を防止することができる。
【図面の簡単な説明】
【００７８】
【図１】本実施の形態に係る画像形成装置を示す側面図である。
【図２】エンジン部の制御ブロック図である。
【図３】ＬＶＰＳにおける２４Ｖ電源部からの電源供給を主体とした回路図である。
【符号の説明】
【００７９】
１０    画像形成装置
１２    エンジン部
３２    定着部
５２    感光体ドラム
６０    現像器
６２    露光ユニット
１００    ＭＣＵ
１０４    ＬＶＰＳ
１１０    インターロックスイッチ
１１２    ２４Ｖ電源部
１１４    ＣＰＵ（制御回路、遅延手段）
１１６    識別信号ライン
１１８    ５Ｖ電源部
１２０    第１のスイッチングトランジスタ
１２２    分岐線
１２４    インターロックリレー回路（リレー回路）
１２４Ａ    コイル部
１２６    第２のスイッチングトランジスタ（遅延手段）
１２４Ｂ    スイッチ部
１２８    抵抗
１３０    コンデンサ
２００    メイン電源管理部
【図１】
2006058509.tif 000003
【図２】
2006058509.tif 000004
【図３】
2006058509.tif 000005